(57)【要約】本発明は、平面型の接地エレメント（１１）と、少なくとも一つのいわゆる下方のスロット（９）を備えた平面型のいわゆる下方のアクティブ放射エレメント（２）と、いわゆる上方のスロット（１０）を備えた平面型のいわゆる上方のアクティブ放射エレメント（３）とを含んでおり、前記下方のエレメントが、第一の短絡エレメント（４）により前記上方のエレメントに電気的に接続され、前記下方のエレメントが、第二の短絡エレメント（５）と、主要信号源（７）と、第一の誘電性材料からなるいわゆる下方の薄板（１２）とにより前記接地エレメントに同様に接続された、マルチバンドアンテナ（１）に関する。本発明は、また、前記下方のエレメントと前記接地エレメントとを電気的に接続する第三の短絡エレメント（６）を含み、少なくとも一つの下方のスロットおよび少なくとも一つの上方のスロットが、放射性である。
2004529592.tif 000002
【特許請求の範囲】
【請求項１】
平面型の接地エレメント（１１、３１）と、
前記接地エレメントに平行に重ねられ、少なくとも一つの下方スロット（９、２９）を含む、平面型の下方のアクティブ放射エレメント（２、２２）と、
前記下方のエレメントに平行に重ねられ、少なくとも一つの上方スロット（１０、３０）を含む、平面型の上方のアクティブ放射エレメント（３、２３）と、
一端でジェネレータに接続され、他端で前記放射エレメントの一つに固定される主要信号源（７、２７）と、
第一の誘電性材料からなり、前記下方のエレメントと前記接地エレメントとの間の空間を充填する下方の薄板（１２、３２）と、
第二の誘電性材料からなり、前記下方のエレメントと前記上方のエレメントとの間の空間を充填する上方の薄板（１３、３３）と、を備え、
前記下方のエレメントが第一の短絡エレメント（４、２４）により前記上方のエレメントに電気的に接続され、前記下方のエレメントが第二の短絡エレメント（５）により前記接地エレメントに接続されているマルチバンドアンテナ（１、２０）であって、
前記下方のエレメントと前記接地エレメントとを電気的に接続する第三の短絡エレメント（６）を備えており、少なくとも一つの下方スロットおよび少なくとも一つの上方スロットが放射性であることを特徴とする、マルチバンドアンテナ。
【請求項２】
前記下方のエレメント（２、２２）および前記上方のエレメント（３、２３）の寸法が、前記接地エレメント（１１、３１）の寸法より実質的に小さいことを特徴とする、請求項１に記載のマルチバンドアンテナ（１、２０）。
【請求項３】
前記下方のエレメント（２、２２）および前記上方のエレメント（３、２３）の寸法が、ほぼ同じであることを特徴とする、請求項１または２に記載のマルチバンドアンテナ（１、２０）。
【請求項４】
前記信号源（７、２７）の前記他端が、前記上方のエレメント（３、２３）に固定されることを特徴とする、請求項１から３のいずれか一項に記載のマルチバンドアンテナ（１、２０）。
【請求項５】
前記第一の誘電性材料および前記第二の誘電性材料が空気であることを特徴とする、請求項１から４のいずれか一項に記載のマルチバンドアンテナ（１、２０）。
【請求項６】
前記放射性の下方スロット（９、２９）および前記放射性の上方スロット（１０、３０）の長さが、それぞれ、前記下方のエレメント（２、２２）および前記上方のエレメント（３、２３）の各々の最大寸法を上回ることを特徴とする、請求項１から５のいずれか一項に記載のマルチバンドアンテナ（１、２０）。
【請求項７】
前記放射性の下方スロット（９、２９）および前記放射性の上方スロット（１０、３０）が、異なる蛇行形であることを特徴とする、請求項６に記載のマルチバンドアンテナ（１、２０）。
【請求項８】
前記放射性の下方スロット（９、２９）および前記放射性の上方スロット（１０、３０）が、複数の連続区間（９１．．．３０４）を備えており、前記下方の放射性スロット区間（９１．．．２９４）の幅が０．５ｍｍ未満であり、前記上方の放射性スロット区間（１０１．．．３０４）の幅が０．５ｍｍ未満であることを特徴とする、請求項７に記載のマルチバンドアンテナ（１、２０）。
【請求項９】
前記区間（９１．．．．３０４）のすべてが、ほぼ同じ幅であり、好適には０．１ｍｍであることを特徴とする、請求項８に記載のマルチバンドアンテナ（１、２０）。
【請求項１０】
前記下方のエレメント（２、２２）および前記上方のエレメント（３、２３）および前記接地エレメント（１１、３１）が、ほぼ長方形であることを特徴とする、請求項１から９のいずれか一項に記載のマルチバンドアンテナ（１、２０）。
【請求項１１】
前記第一の短絡エレメント（４、２４）が、平面型であることを特徴とする、請求項１から１０のいずれか一項に記載のマルチバンドアンテナ（１、２０）。
【請求項１２】
前記第二の短絡エレメント（５）および前記第三の短絡エレメント（６）が、有線型であることを特徴とする、請求項１から１１のいずれか一項に記載のマルチバンドアンテナ（１、２０）。
【請求項１３】
前記有線型の第二（５）の短絡エレメントおよび前記有線型の第三の短絡エレメント（６）が、前記平面型の第一の短絡エレメント（４、２４）に平行でない指向面に配置されることを特徴とする、請求項１１または１２に記載のマルチバンドアンテナ（１、２０）。
【請求項１４】
前記指向面が、前記平面型の第一の短絡エレメント（４）にほぼ直交することを特徴とする、請求項１３に記載のマルチバンドアンテナ（１）。
【請求項１５】
前記放射性の下方スロット（９、２９）の長さが６５ｍｍ以上であり、前記放射性の上方スロット（１０、３０）の長さが７０ｍｍ以上であることを特徴とする、請求項１から１４のいずれか一項に記載のマルチバンドアンテナ（１、２０）。
【請求項１６】
前記放射性の下方スロット（９、２９）が開放されており、前記放射性の下方スロットの前記区間（９１．．．２９４）が、直交していて全部で４個であり、長い方の２個の区間が、前記下方のエレメント（２、２２）の長い方の辺の方向に構成され、前記放射性の上方スロット（１０、３０）が開放されており、前記放射性の上方スロット（１０１．．．３０４）の前記区間が直交していて全部で４個であり、長い方の２個の区間が、同様に前記上方のエレメント（３、２３）の長い方の辺の方向に構成されることを特徴とする、請求項８または９に記載のマルチバンドアンテナ（１、２０）。
【請求項１７】
長方形の前記下方のエレメント（２）および長方形の前記上方のエレメント（３）が、長方形の前記接地エレメント（１１）のほぼ中央付近に配置されており、前記下方および上方のエレメントの長い方の辺が、前記接地エレメントの長い方の辺に平行であることを特徴とする、請求項１０に記載のマルチバンドアンテナ（１）。
【請求項１８】
長方形の前記下方のエレメント（２２）および長方形の前記上方のエレメント（２３）が、長方形の前記接地エレメント（３１）のほぼ一端の付近に配置されており、前記長方形の下方のエレメントおよび前記長方形の上方のエレメントの短い方の辺が、前記接地エレメントの長い方の辺に平行であることを特徴とする、請求項１０に記載のマルチバンドアンテナ（２０）。
【請求項１９】
前記第一の短絡エレメント（４、２４）が、前記接地エレメント（１１、３１）に実質的に直交することを特徴とする、請求項１１に記載のマルチバンドアンテナ（１、２０）。
【請求項２０】
請求項１から１９のいずれか一項に記載のアンテナ（１、２０）を含む、無線通信端末。
【発明の詳細な説明】
【技術分野】
【０００１】
本発明は、一般に、無線周波数およびマイクロ波を含むスペクトルの分野で通常用いられる波長λを送受信するための通信装置に関する。本発明は、特に、マルチバンドアンテナに関する。
【背景技術】
【０００２】
一般に、マルチモード端末（地上、衛星）または携帯電話端末等の無線通信システムの寸法および重量は、電子回路の大規模集積化に伴って小型化され続けている。たとえば、携帯電話端末の場合、ユーザのモビリティの改善が検討されている。こうした見地から、高さの低い水平アンテナの実現に努力が傾けられているが、これは、このようなシステムにおいて、アンテナが依然として最も大型の部分であるからである。しかも、アンテナは、美観に優れている必要があり、ユーザにとって目障りであってはならないため、アンテナを完全に隠すことは最重要の課題になる。
【０００３】
アンテナを小型化すると、まず、アセンブリ構造の共振周波数に影響が及び、共振周波数が高い周波数にシフトされる。さらに、主としてマッチング、放射図、および通過帯域といった電波特性に直接影響が及ぶ。事実、アンテナの寸法を小さくすると、一般にはマッチングが難しくなり、収量が下降し、環境に対する感度の高さに関連して放射図が劣化し、特に、Ｑ−ファクタが高くなることから通過帯域の幅が著しく減少する。
【０００４】
一般には、アンテナの性能（適切なマッチング、無指向性の放射制御、広い通過帯域）と、外形寸法、構造の複雑性、およびコストとの間で妥協が図られている。
【０００５】
小型化という目的のためには、一般に、平面型の２個の放射エレメントを重ねることが必要となり、その寸法に依存する共振周波数を発生させる。これらの平面は、この平面よりも寸法が大きいができるだけ小型化した接地面に結合され、これによって、特に、環境におけるアンテナの感度を制限できるようにしている。
【０００６】
米国特許第５９８６６０６号明細書は、小型アンテナを開示している。提示された第二の実施形態では、このアンテナの高さは約４．５ｍｍである。アンテナは、接地面と、長方形のいわゆる下方放射面と、その上に平行に重ねられた同寸法の長方形のいわゆる上方放射面とを含む。アンテナは動作周波数ｆ１を有する。平面は、ほぼ正方形の短絡面によりその下側で相互接続され、これらの面の長い方の辺の一つに沿って配置される。下面と接地面との間のスペースを空気の薄板が充填する。比誘電率εｒが１以上の誘電性材料からなる別の薄板が、下面と上面との間のスペースを充填する。さらに、下面は、短絡面に平行な別の短絡部により接続される。これらの短絡部は、電気長を長くして動作周波数ｆ１を低くしている。主要信号源が下面に供給される。このように２個の面は、アクティブ型である。さらに、各放射面が、短い辺の方向に、この短い辺よりも短く構成された広幅スロットを有する。これらのスロットはサイズが同じであり、平行であって、Ｃ形に変形される各面の同じ位置に設けられる。短絡エレメント同様、スロットは電気長を長くするので動作周波数ｆ１を低くする。「二重Ｃ」型アンテナは約１．５ＧＨｚで動作し、定在波比（ＲＯＳ）が２以下のとき、０．５％のかなり狭い通過帯域を有する。
【０００７】
このようなアンテナは、たとえばＤＣＳ標準（Ｄｉｇｉｔａｌ  Ｃｅｌｌｕｌａｒ  Ｓｙｓｔｅｍ）に対応して１７１０ＭＨｚから１８８０ＭＨｚ、またはＰＣＳ標準（Ｐｅｒｓｏｎａｌ  Ｃｏｍｍｕｎｉｃａｔｉｏｎ  Ｓｙｓｔｅｍ）に対応して１８５０ＭＨｚから１９９０ＭＨｚの、いわゆる高周波帯域で動作可能であり、ましてやバイバンド特性をもたない。そのため、このアンテナは、いわゆる高い帯域と、たとえばＧＳＭ標準（８９０ＭＨｚ−９６０ＭＨｚ）またはＡＭＰＳ標準（８２４ＭＨｚ−８９６ＭＨｚ）に対応するいわゆる低い帯域とで同時に動作することができない。
【発明の開示】
【発明が解決しようとする課題】
【０００８】
本発明の目的は、小型化技術、通過帯域の拡張技術、およびマルチ周波数動作技術を組み合わせて、同一アンテナでマルチバンド動作を得ることにある。この目的は、小型アンテナに特別な追加共振装置をはめ込むことにより可能になる。
【課題を解決するための手段】
【０００９】
このため、本発明は、平面型の接地エレメントと、前記接地エレメントに平行に重ねられ、少なくとも一つのいわゆる下方スロットを含む、平面型のいわゆる下方のアクティブ放射エレメントと、前記下方のエレメントに平行に重ねられ、少なくとも一つのいわゆる上方スロットを含む、平面型のいわゆる上方のアクティブ放射エレメントとを備え、前記下方のエレメントが、第一の短絡エレメントにより前記上方のエレメントに電気的に接続され、前記下方のエレメントが、また、第二の短絡エレメントにより前記接地エレメントに接続されており、一端でジェネレータに接続され、他端で前記放射エレメントの一つに固定される主要信号源を含み、第一の誘電性材料からなるいわゆる下方の薄板が、前記下方のエレメントと前記接地エレメントとの間の空間を充填し、第二の誘電性材料からなるいわゆる上方の薄板が、前記下方のエレメントと上方のエレメントとの間の空間を充填する、マルチバンドアンテナに関し、このアンテナは、前記下方のエレメントと前記接地エレメントとを電気的に接続する第三の短絡エレメントを備え、少なくとも一つの下方スロットおよび少なくとも一つの上方スロットが放射性であることを特徴とする。
【００１０】
本明細書では、「放射性」という表現が、共振を発生することを意味する。
【００１１】
本発明によるアンテナナは平面であり、小型化技術（エレメントの積層技術）を組み込んでいる。本発明によれば薄板の厚みを薄くすることができ、下方および上方のエレメントの寸法が小さいので、アンテナは小型軽量化され、マルチモード端末および携帯端末に適する。従って、本発明によるアンテナは、たとえば携帯端末の後壁に固定可能である。
【００１２】
さらに、短絡エレメントがアンテナの機械的な剛性を確保する。アンテナを構成するために使用されている材料は、安価な材料の中から選択される。
【００１３】
本発明によるアンテナは、多重共振によるマルチ周波数動作を有する。一般に、第一の共振は、下方および上方の放射エレメントの基本共振に対応し、動作周波数がｆ１である。第二および第三の短絡エレメントの共振に関連する別の共振は、動作周波数がｆ２である。さらに、本発明によるアンテナは、下方の放射スロットと上方の放射スロットとにより形成される２個の追加共振を含み、それぞれの動作周波数はｆ３、ｆ４である。また、共振器の役割を果たすこうした下方および上方スロットの追加により、アンテナの外形寸法が増えることはない。
【００１４】
各エレメントの数、種類、並び寸法、及びにそれらの相互の配置により、検討されるカバーエリアに応じてアンテナの動作周波数ならびに放射図の形状を調整するという利点が得られる。
【００１５】
そのため、本発明によるアンテナは、低いＧＳＭ帯域、高いＤＣＳ帯域（１７１０ＭＨｚ−１８８０ＭＨｚ）、およびＵＭＴＳ規格に割り当てられる帯域（１８８５ＭＨｚ−２０２５ＭＨｚ、２１１０ＭＨｚ−２２００ＭＨｚ）といった、かなり開きのある複数の標準で使用される携帯端末の小型マルチバンドアンテナの要求に応えることができる。
【００１６】
また、本発明によるアンテナは、たとえば、マルチモード端末に統合され、衛星の帯域（１９８０ＭＨｚ−２２００ＭＨｚ）で動作可能である。
【００１７】
たとえば、ＧＳＭ帯域で周波数ｆ１、ＤＣＳおよび／またはＵＭＴＳ帯域で周波数ｆ２を固定し、これらの周波数を周波数ｆ３、ｆ４と結合して、少なくとも２個の広帯域を得ることが適切である。
【００１８】
このようにして、ＧＳＭ帯域は、周波数ｆ１、ｆ４を組み合わせた二重共振により得られる。同様に、ＤＣＳおよび／またはＵＭＴＳ帯域は、周波数ｆ２、ｆ３を組み合わせた二重共振により得られる。
【００１９】
本発明によるアンテナは、小型であるため、様々な偏波を感知可能である。比較的無指向性の放射を促すため、偏波どうしの結合が重要である都市部においては、携帯端末は、偏波の純度の欠如を利用可能であることが有利である。
【００２０】
そのため、放射図は、異なる位置および物体付近でアンテナが十分に動作するようなものとなる。
【００２１】
有利には、本発明によるアンテナの寸法をできるだけ小さくするために、下方および上方エレメントの寸法を接地エレメントの寸法よりかなり小さくすることができる。
【００２２】
アンテナの外形および構成を簡略化するために、好適には、下方および上方のエレメントの寸法をほぼ同じにできる。
【００２３】
本発明によれば、信号源の他端を上方のエレメントに固定可能である。
【００２４】
本発明によれば、第一および第二の誘電性材料を空気とすることができる。
【００２５】
本発明によれば、放射性の下方および上方のスロットの長さが、それぞれ、下方および上方の各エレメントの最大寸法を上回るようにすることができる。
【００２６】
このように、電気長を延ばして周波数ｆ１を低くする。
【００２７】
有利には、本発明による放射性の下方および上方のスロットを、異なる蛇行形にすることができる。
【００２８】
このように、蛇行形は、スロットの長さを最適化できる。異なる形状のスロットにより、アンテナの最適動作を確保できる。
【００２９】
同じく有利には、本発明による放射性の下方および上方のスロットが、複数の連続区間を含むことができる。下方の放射性スロット区間は、幅０．５ｍｍ未満とし、上方の放射性スロット区間は、幅０．５ｍｍ未満とすることができる。
【００３０】
このように、放射性スロットは、共振を生じさせるために十分に狭くする。
【００３１】
本発明によれば、実施を簡略化するために、好適にはすべての区間の幅がほぼ同じであり、好ましくは０．１ｍｍにすることができる。
【００３２】
本発明の好適な実施形態では、下方および上方のエレメントと接地エレメントとを、ほぼ長方形にすることができる。
【００３３】
本発明の実施形態では、第一の短絡エレメントを平面型にし、第二および第三の短絡エレメントを有線型にすることができる。
【００３４】
本発明のこの実施形態では、その場合、有線型の第二および第三の短絡エレメントを、平面型の第一の短絡エレメントに平行でない、たとえばほぼ直交する指向面に配置可能である。
【００３５】
好適には、本発明による下方の放射性スロットの長さが６５ｍｍ以上であり、本発明による上方の放射性スロットの長さが７０ｍｍ以上である。
【００３６】
有利な実施形態では、少なくとも一つの区間が下方のエレメントに沿って終わる方向に、下方の放射性スロットを解放させることができる。この区間は直交していて全部で４個とすることができ、長い方の２個の区間が、下方のエレメントの長い方の辺の方向に設けられる。さらに、上方の放射性スロットもまた解放させ、その区間は直交していて全部で４個とし、長い方の２個の区間が、同様に上方のエレメントの長い方の辺の方向に設けられる。
【００３７】
一方の帯域における本発明のアンテナの特徴を、他方の帯域における特徴を損なわずに調整し、特に、アンテナの他方の通過帯域を損なわずに、一方の通過帯域を広げることが重要である。そのため、各種の製造技術およびそれらのシーケンスを明確にすることにより、こうしたアンテナ設計の明確な方法が完成されている。従って、上記の特別な構成により、適切に結合可能な共振を発生させ、低い帯域と高い帯域との２つの広帯域にアンテナを適合させることができ、通過帯域のいずれかでアンテナの動作モードを著しく損なうことがない。さらに、直交区間を構成する設計上の選択により、製造を簡素化できる。
【００３８】
本発明の第一の実施形態では、長方形の放射エレメントを長方形の接地エレメントのほぼ中央付近に配置可能であり、長方形の下方および上方エレメントの長い方の辺が、接地エレメントの長い方の辺に平行である。
【００３９】
本発明の第二の実施形態では、放射エレメントを接地エレメントのほぼ一端の付近に配置可能であり、下方および上方エレメントの短い方の辺が、接地エレメントの長い方の辺に平行である。
【００４０】
本発明によれば、第一の短絡エレメントが前記接地エレメントにほぼ直交する。
【００４１】
本発明は、また、このようなアンテナを含む無線通信端末に関する。
【００４２】
本発明の特徴および目的は、少しも限定的ではなく例として示された添付図面に関する以下の詳細な説明から明らかになるであろう。
【発明を実施するための最良の形態】
【００４３】
図１に示した本発明によるアンテナ１は、接地面１１と、接地面１１に平行に重ねられた長方形の下方放射面２と、下方の放射面２に平行に重ねられた同じ長方形の上方放射面３とを含む。
【００４４】
下面２および上面３は、接地面１１のほぼ中央付近に配置されており、これらの面２、３の長い方の辺は、接地面１１の長い方の辺にほぼ平行である。さらに、これらの面２、３は、金属製で同サイズであり、それぞれ、異なる蛇行形状の上方の放射スロット１０と下方の放射スロット９とを含む。
【００４５】
下面２は、垂直な金属製の短絡面４により上面３に電気的に接続され、短い方の辺の一つに溶接される。下面２は、また、金属製の２個の有線短絡部５、６により接地面１１に接続される。
【００４６】
ジェネレータ（図示せず）の一端に接続される主要信号源７は、開口部７ａにより接地面１１を通り、その後、開口部７ｂにより下面２を通って、溶接部８により上面３に固定される。
【００４７】
有線短絡部５、６は、信号源７の両側に配置される。接地面１１とのそれらの接続位置を５ａ、６ａで示した。さらに、有線短絡部５、６は、短絡面４に直交する指向面（図示せず）に配置される。
【００４８】
下面２と接地面１１との間の空間は空気の薄層１２で充填される。同様に、下面２と上面３との間の空間は空気の薄層１３で充填される。
【００４９】
アンテナ１の高さＨ１は、１２．５ｍｍである。
【００５０】
図２は、アンテナ１の接地面１１の上面図である。接地面１１の長い方の辺の長さＬ１１は６０ｍｍであり、短い方の辺の長さｌ１１は４０ｍｍである。接続位置５ａ、６ａから、有線短絡部５、６が信号源７とアラインメントされておらず、長い方の辺Ｌ１１に平行な指向面（図示せず）に配置されていることが分かる。
【００５１】
図３は、アンテナ１の下面２の上面図である。下面２の長い方の辺の長さＬ２は３５ｍｍであり、短い方の辺の長さｌ２は２５ｍｍである。同様に図示されている下方のスロット９は開放されており、４個の連続直交区間９１、９２、９３、９４を含む。長い方の２個の区間９１、９３は、下面２の長い方の辺の方向に形成されている。区間９３は、開口部７ｂの付近にあることがわかる。
【００５２】
スロット９、１０の付近に供給源７を配置することにより、所望の周波数（ここではＧＳＭおよびＵＭＴＳの周波数）にスロットの共振を適合させ（ＲＯＳ＜２）、スロット９、１０が放射を行うのに十分なエネルギー伝達を実現できる。
【００５３】
区間９１、９２、９３、９４は、ほぼ同じ幅ｌ９を有し、この幅は、好適には約０．１ｍｍである。下方のスロット９の長い方の辺の全体の長さは約６８ｍｍである。
【００５４】
図４は、アンテナ１の上面３の上面図である。上面３の長い方の辺の長さＬ３は３５ｍｍであり、短い方の辺の長さｌ３は２５ｍｍである。同様に図示された上方のスロット１０は、開放されており、４個の連続直交区間１０１、１０２、１０３、１０４を含む。長い方の２個の区間１０１、１０３は、上面３の長い方の辺の方向に構成されている。区間１０４は、上面３の短い方の辺の一つに全体として配置される。
【００５５】
区間１０１、１０２、１０３、１０４はほぼ同じ幅ｌ１０を有し、好適には、この幅が約０．１ｍｍである。上方スロット１０の全体の長さは約７５ｍｍである。
【００５６】
区間１０１が溶接部８の近くにあり、区間１０１、１０２、１０３が区間９１、９２、９３、９４と重ならないことに留意されたい。
【００５７】
従って、寸法６０ｍｍ×４０ｍｍ×１２．５ｍｍのアンテナ１の外形寸法は、非常に小さい。
【００５８】
アンテナ１は、４個の共振により得られるマルチ周波数動作を有する。一般には、低い帯域にある動作周波数ｆ１の第一の共振が、下面２および上面３の基本共振に相当する。高い帯域にある動作周波数ｆ２の第二の共振は、有線短絡部５、６の共振に関連する。さらに、下方のスロット９および上方のスロット１０は、比２に近い動作周波数ｆ３、ｆ４の２個の追加共振をそれぞれ発生する。この二つの共振は、まさしく２個のスロット９、１０の間の相互妨害により発生する。この二つの共振は、それぞれ高い帯域および低い帯域にある。
【００５９】
動作周波数は、様々なエレメントの寸法と、相互配置とを最適化することで調整される。
【００６０】
「エレメント」とは、ここでは、金属構造のみならず（下面２および上面３）、スロット９、１０、接地面１１、短絡部５、６、および主要信号源７を意味する。
【００６１】
「配置」とは、
・接地面１１に対する下面２および上面３の配置、
・下面２とスロット９、１０とに対する短絡部５、６の配置、
・下面２および上面３と、信号源７とに対するスロット９、１０の配置、
・下方のスロット９に対する上方のスロット１０の配置、を含むものとする。
【００６２】
スロット９、１０は、また、電気長を長くして、周波数ｆ１を低くすることができる。さらに、周波数ｆ１、ｆ２の共振が殆ど損なわれないようにスロット９、１０を構成する。
【００６３】
また、平面短絡部４の位置に対して明記された相対位置で複数の有線短絡部５、６を用いることにより、アンテナ１の適切な動作が得られる。
【００６４】
さらに、周波数ｆ１、ｆ２の間隔は、有線短絡部５、６の組み合わせによって得られ、上方のスロット１０により調整される。
【００６５】
このようにして、４個の共振ｆ１からｆ４は、２個ずつ結合して、低い帯域および高い帯域における２個の広い通過帯域を発生する。
【００６６】
アンテナ１の整合特性を特徴づけるＲＯＳを、低帯域に対しては図５の曲線１４で、高帯域に対しては図６の曲線１５で示した。
【００６７】
得られる最適動作周波数ｆ１、ｆ４は、約９３５ＭＨｚおよび９８０ＭＨｚであり、通過帯域Ａは、ＲＯＳが３以下の場合で約７％（約７０ＭＨｚ）である。従って、面２、３の寸法は、λ１／１０未満であり、接地面１１の寸法はλ１／５未満である。得られる最適動作周波数ｆ３、ｆ２は、約２０５０ＭＨｚおよび２３７０ＭＨｚであり、通過帯域Ｂは、ＲＯＳが２以下の場合で約２２％（約５００ＭＨｚ）である。
【００６８】
アンテナ１を端末のハウジングに組み込むと、周波数は多少低い周波数側にシフトされることが分かる。
【００６９】
図７は、本発明によるアンテナ２０を示しており、接地面３１と、接地面３１に平行に重ねられた長方形の下方の放射面２２と、下方の放射面２２に平行に重ねられた長方形の上方の放射面２３とを含む。
【００７０】
下面２２および上面２３は、接地面３１の短い方の辺の近くにほぼ配置される。これらの面２２、２３の短い方の辺は、接地面３１の長い方に平行である。さらに、下面２２および上面２３は金属製で同サイズであり、それぞれ、異なる蛇行形状の上方の放射スロット３０又は下方の放射スロット２９を含む。
【００７１】
下面２２は、溶接される垂直な金属短絡面２４により上面２３に電気的に接続される。面２２、２３、２４はまた、長方形の金属プレートの折り曲げによっても得られる。さらに、下面２２は、２個の金属製の有線短絡部（図示せず）により接地面３１に同様に接続される。
【００７２】
一端でジェネレータ（図示せず）に接続される主要信号源２７は、接地面３１の開口部２７ａを通り、次いで、開口部２７ｂ（図９）から下面２２を通り、溶接部２８により上面２３に固定される。
【００７３】
下方の空気の薄層３２は、下面２２と接地面１１との間の空間を充填する。同様に、下方の空気の薄層３３は、下面２２と上面２３との間の空間を充填する。
【００７４】
アンテナ２０の高さＨ２０は、９．５ｍｍである。
【００７５】
図８は、アンテナ２０の接地面３１の上面図である。接地面３１の長い方の辺Ｌ３１は１００ｍｍであり、短い方の辺ｌ３１は４０ｍｍである。有線短絡部（図示せず）の接続位置２５ａ、２６ａから、これらの短絡部が信号源２７とアラインメントされておらず、短絡面２４に平行でない指向面（図示せず）に配置されていることが分かる。
【００７６】
図９は、アンテナ２０の下面２２の上面図である。下面２２の長い方の辺Ｌ２２は３５ｍｍであり、短い方の辺ｌ２２は２５ｍｍである。同様に図示された下方のスロット２９は、開放されており、４個の連続直交区間２９１、２９２、２９３、２９４を含む。長い方の２個の区間２９１、２９３は、下面２の長い方の辺の方向に構成されている。区間２９３は、開口部２７ｂ付近にあることがわかる。
【００７７】
区間２９１、２９２、２９３、２９４の幅ｌ２９はほぼ等しく、好適には０．１ｍｍである。下方のスロット２９の全長は約７０ｍｍである。
【００７８】
図１０は、アンテナ２０の上面２３の上面図である。上面２３の長い方の辺の長さＬ２３は３５ｍｍであり、短い方の辺の長さｌ２３は２５ｍｍである。同様に図示された上方のスロット３０は、開放されており、４個の連続直交区間３０１、３０２、３０３、３０４を含む。長い方の２個の区間３０１、３０３は、上面２３の長い方の辺の方向に構成されている。区間３０４は、上面２３の短い方の辺の一つに全体として配置されている。
【００７９】
区間３０１、３０２、３０３、３０４は、ほぼ同じ幅ｌ３０を有し、この幅は、好適には約０．１ｍｍである。上方のスロット３０の全長は約７５ｍｍである。
【００８０】
区間３０１は溶接部２８の付近にあり、区間３０１の一部が区間２９３と重なっていることに留意されたい。
【００８１】
従って、寸法１００ｍｍ×４０ｍｍ×９．５ｍｍのアンテナ２０の寸法は非常に小型である。
【００８２】
アンテナ１と同様に、アンテナ２０は、２個ずつ結合される４個の共振周波数ｆ１からｆ４を有し、アンテナ２０が広帯域でマルチバンド動作を行うようにする。
【００８３】
アンテナ２０のＲＯＳ、通過帯域、ならびに放射図は、アンテナ１と同様である。
【００８４】
もちろん、上記の説明は、全くの例として挙げたものである。本発明の範囲を逸脱せずに、あらゆる手段を同等手段により代えることができる。
【００８５】
たとえば、放射エレメントおよび接地エレメントを合致させることができる。
【００８６】
さらに、開放または閉鎖された追加スロットを、場合によっては短絡エレメントで接続される他の放射エレメントと組み合わせて構成することにより、他の標準によるカバーエリアを検討してもよい。
【図面の簡単な説明】
【００８７】
【図１】本発明の第一の実施形態によるアンテナの斜視図である。
【図２】図１のアンテナの接地面の上面図である。
【図３】図１のアンテナの下方放射面の上面図である。
【図４】図１のアンテナの上方放射面の上面図である。
【図５】図１のアンテナの高い帯域におけるＲＯＳを示すグラフである。
【図６】図１のアンテナの低い帯域におけるＲＯＳを示すグラフである。
【図７】本発明の第二の実施形態における本発明によるアンテナの斜視図である。
【図８】図７のアンテナの接地面の上面図である。
【図９】図７のアンテナの下方放射面の上面図である。
【図１０】図７のアンテナの上方放射面の上面図である。
【図１】
2004529592.tif 000003
【図２】
2004529592.tif 000004
【図３】
2004529592.tif 000005
【図４】
2004529592.tif 000006
【図５】
2004529592.tif 000007
【図６】
2004529592.tif 000008
【図７】
2004529592.tif 000009
【図８】
2004529592.tif 000010
【図９】
2004529592.tif 000011
【図１０】
2004529592.tif 000012
【国際公開パンフレット】
2004529592.tif 000013
2004529592.tif 000014
2004529592.tif 000015
2004529592.tif 000016
2004529592.tif 000017
2004529592.tif 000018
2004529592.tif 000019
2004529592.tif 000020
2004529592.tif 000021
2004529592.tif 000022
2004529592.tif 000023
2004529592.tif 000024
2004529592.tif 000025
2004529592.tif 000026
2004529592.tif 000027
2004529592.tif 000028
2004529592.tif 000029
2004529592.tif 000030
2004529592.tif 000031
2004529592.tif 000032
2004529592.tif 000033
2004529592.tif 000034
2004529592.tif 000035
2004529592.tif 000036
2004529592.tif 000037
2004529592.tif 000038
【国際調査報告】
2004529592.tif 000039
2004529592.tif 000040
2004529592.tif 000041
2004529592.tif 000042
2004529592.tif 000043
2004529592.tif 000044